(57)【要約】【課題】表面に装飾模様を印刷等することによって、奥行きや立体感のある装飾模様を形成することができ、製造コストが高くなるようなことなく、箸の装飾効果を高める。【解決手段】箸本体１の長手方向の少なくとも一部を透明に形成し、この透明に形成された箸本体１の少なくとも対向する二面にそれぞれ部分的な範囲で装飾模様２ａ、２ｂを施す。箸本体１の対向する二面のうち、一方の面から箸本体１を見ると、この一方の面に施した装飾模様２ａが見えると同時に、対向する裏側の面に施した装飾模様２ｂが透明な箸本体１を通して見えるものであり、一方の面の装飾模様２ａは手前に、裏側の面の装飾模様２ｂは奥に見えることになって、箸に装飾模様２を奥行きや立体感があるように表現することができる。【選択図】図１
0003179872.tif 000002
【実用新案登録請求の範囲】
【請求項１】
箸本体の長手方向の少なくとも一部を透明に形成し、この透明に形成された箸本体の少なくとも対向する二面にそれぞれ部分的な範囲で装飾模様を施して成ることを特徴とする箸。
【請求項２】
箸本体の対向する二面に施した装飾模様は、一方の面の装飾模様に対して他方の面の装飾模様を箸本体の長手方向にずらした位置に形成されていることを特徴とする請求項１に記載の箸。
【考案の詳細な説明】
【技術分野】
【０００１】
本考案は、食事の際に使用される箸に関するものである。
【背景技術】
【０００２】
食事に使用する箸は、木や竹、プラスチックなど各種の素材を用いて作製されるが、箸の表面に印刷や塗装をして装飾を施すことによって、商品価値を高めるようにするのが一般的である。しかし、箸の表面に印刷や塗装をして装飾模様を形成しても、装飾模様は箸の表面に平面的に表現されるだけであるので、装飾模様の形成で高い装飾効果を得ることには限界がある。
【０００３】
そこで、例えば特許文献１では、箸の一部を透明なプラスチック材料で形成し、この透明プラスチックの部分にビーズ玉などを埋め込んで、透明プラスチック内にビーズを内包させるようにすることによって、立体的な表現で装飾を行なうようにしている。
【先行技術文献】
【特許文献】
【０００４】
【特許文献１】特開２００６−１１２０１９（図１０）
【考案の概要】
【考案が解決しようとする課題】
【０００５】
しかし、特許文献１のように透明なプラスチックの部分にビーズ玉などを内包した箸を作製する場合には、プラスチック材料を流し込んだり、ビーズを埋め込んだりする工程が必要であって製造工数が増加し、また使用する材料の種類が増えることになる。このため、箸の製造コストが著しく高くなるという問題がある。
【０００６】
本考案は上記の点に鑑みてなされたものであり、表面に装飾模様を印刷等することによって、奥行きや立体感のある装飾模様を形成することができ、製造コストが高くなるようなことなく、装飾効果の高い箸を提供できるようにすることを目的とするものである。
【課題を解決するための手段】
【０００７】
本考案に係る箸は、箸本体１の長手方向の少なくとも一部を透明に形成し、この透明に形成された箸本体１の少なくとも対向する二面にそれぞれ部分的な範囲で装飾模様２を施して成ることを特徴とするものである。
【０００８】
装飾模様２を施した箸本体１の対向する二面のうち、一方の面から箸本体１を見ると、この一方の面に施した装飾模様２（２ａ）が見えると同時に、対向する裏側の面に施した装飾模様２（２ｂ）が透明な箸本体１を透して見えるものであり、一方の面の装飾模様２ａは手前に、裏側の面の装飾模様２ｂは奥に見えることになって、装飾模様２を奥行きや立体感があるように表現することができるものであり、装飾効果の高い箸を形成することができるものである。
【０００９】
また本考案にあって、箸本体１の対向する二面に施した装飾模様２は、一方の面の装飾模様２ａに対して他方の面の装飾模様２ｂを箸本体１の長手方向にずらした位置に形成されるようにしてもよい。
【００１０】
このようにすれば、一方の面に施した装飾模様２ａの間に、対向する裏側の面に施した装飾模様２ｂが透明な箸本体１を透して見えるものであり、一方の面の装飾模様２ａと対向する裏側の面の装飾模様２ｂが同時に見やすくなり、装飾模様２の奥行きや立体感の表現を際立たせることができるものである。
【考案の効果】
【００１１】
本考案によれば、透明な箸本体１の対向する二面にそれぞれ部分的な範囲で装飾模様２を施すようにしているので、装飾模様２を施した箸本体１の対向する二面のうち、一方の面から箸本体１を見ると、この一方の面に施した装飾模様２（２ａ）が見えると同時に、対向する裏側の面に施した装飾模様２（２ｂ）が透明な箸本体１を通して見えるものであり、一方の面の装飾模様２ａは手前に、裏側の面の装飾模様２ｂは奥に見えることになって、箸に装飾模様２を奥行きや立体感があるように表現することができるものである。従って、箸本体１の表面に装飾模様２を印刷するだけで、奥行きや立体感のある装飾模様２を形成することができ、製造コストが高くなるようなことなく、装飾効果の高い箸を形成することができるものである。
【図面の簡単な説明】
【００１２】
【図１】本考案の実施の形態の一例を示すものであり、（ａ）は対向する一方の側から見た斜視図、（ｂ）は他方の側から見た斜視図である。
【図２】同上の一部を拡大して示すものであり、（ａ）は対向する一方の側から見た正面図、（ｂ）は他方の側から見た正面図である。
【図３】本考案の実施の形態の各種の例を示すものであり、（ａ）（ｂ）（ｃ）（ｄ）はそれぞれ拡大した断面図である。
【考案を実施するための形態】
【００１３】
以下、本考案の実施の形態を説明する。
【００１４】
図１は箸本体１の全体を示すものであり、箸本体１は上端が太く、下端が細い四角柱形状に形成してある。この箸本体１を一対揃えることによって、箸として使用することができるものである。
【００１５】
箸本体１は、アクリル樹脂、ＳＢＳ樹脂、スチレン樹脂など透明なプラスチック材料を成形することによって作製してあり、全体を透明体として形成してある。箸本体１の透明性は、無色透明である他、任意の色に着色した透明であってもよいものであり、箸本体１を透過して裏側が透けて見える透明性があればよい。
【００１６】
そして箸本体１の側面の四面のうち、対向する二面の表面にそれぞれ装飾模様２が施してある。箸本体１の表面に装飾模様２を形成する方法は、特に限定されるものではないが、スクリーン印刷などの印刷手法により装飾模様２を形成するのが望ましい。特にスクリーン印刷の場合は比較的厚い膜のインクで印刷をすることができるので、透明な箸本体１を透して裏側の装飾模様２が鮮明に見やすくなるものである。
【００１７】
また箸本体１の表面に形成する装飾模様２としては、任意の図柄、絵などの他に、文字や記号などであってもよく、何ら限定されるものではない。図１の実施の形態では、装飾模様２は花びらの図柄として形成してある。この装飾模様２は箸本体１の表面の部分的な範囲に設けられるものであり、箸本体１の表面の全面に設けられるものではない。図１の実施の形態では、箸本体１の長手方向に離れた複数個所において装飾模様２を設けるようにしてあり、装飾模様２を施した部分以外は、透明な箸本体１の表面がそのまま露出するようにしてある。
【００１８】
図１（ａ）は箸本体１を対向する二面のうち一方の面の側から見た図であり、図１（ｂ）は箸本体１を他方の面の側から見た図であるが、図１（ａ）に示すように、箸本体１の対向する二面のうち、一方の面に装飾模様２ａが長手方向に離れた複数個所（２か所）に設けてあり、また図１（ｂ）に示すように、他方の面には、一方の面の装飾模様２ａに対して箸本体１の長手方向へずれた位置の複数個所（２か所）に装飾模様２ｂが設けてある。
【００１９】
上記のような装飾模様２を対向する二面に施した箸本体１にあって、一方の面から箸本体１を見ると、図２（ａ）に示すように、この一方の面に施した装飾模様２ａが直接見えると同時に、対向する裏側の面に施した装飾模様２ｂが透明な箸本体１を透して見えるものであり、表側に位置する一方の面の装飾模様２ａは手前に、対向する裏側の面の装飾模様２ｂは奥に見えることになる。
【００２０】
また逆に、他方の面から箸本体１を見ると、図２（ｂ）に示すように、この他方の面に施した装飾模様２ｂが直接見えると同時に、裏側に位置する一方の面に施した装飾模様２ａが透明な箸本体１を透して見えるものであり、装飾模様２ｂは手前に、装飾模様２ａは奥に見えることになる。
【００２１】
このように、透明な箸本体１の対向する二面に施した装飾模様２は、一方が手前に、他方が奥に見えることになり、装飾模様２を奥行きや立体感があるように表現することができるものである。従って、箸本体１の表面に装飾模様２を印刷するという、製造工数が増えたり使用する材料の種類が増えたりするというようなことがないコスト安価な手法で、奥行きや立体感のある装飾模様２を形成して、箸の商品価値を高めることが可能になるものである。
【００２２】
ここで、図１及び図２の実施の形態では、箸本体１の対向する二面にそれぞれ装飾模様２を長手方向に間隔を隔てて複数個所に設け、一方の面と他方の面の装飾模様２の位置を長手方向にずらすことによって、一方の面と他方の面の装飾模様２が長手方向に離れて相互に重ならないようにし、箸本体１の裏側に位置する装飾模様２が表側に位置する装飾模様２によって隠されないようにしている。本考案は勿論これに限定されるものではなく、対向する一方の面と他方の面の装飾模様２の一部が重なるようにしてもよい。この場合には箸本体１の表側に位置する装飾模様と裏側に位置する装飾模様２が重なり合う部分で、両面の装飾模様２が連続しているような視覚効果を与えたり、両面の装飾模様２が結合されているような視覚効果を与えたりすることが可能になるものである。
【００２３】
また、図１及び図２の実施の形態では対向する二面の装飾模様２は、それぞれ同じ図柄の模様に形成したが、一方の面の装飾模様２と他方の面の装飾模様２を異なる模様に形成してもよいのはいうまでもない。
【００２４】
また上記の実施の形態では、箸本体１の側面の四面のうち対向する二面にのみ、図３（ａ）のように装飾模様２を設けるようにしたが、図３（ｂ）に示すようにこの対向する二面の他にもう一面に装飾模様２を施して三面に装飾模様２を設けるようにしてもよく、さらに図３（ｃ）に示すように一対の対向する二面、すなわち四面に装飾模様２を設けるようにしてもよい。
【００２５】
さらに上記の実施の形態では、箸本体１として四角柱形状のものを用いたが、図３（ｄ）のように箸本体１を円柱形状に形成してもよく、この場合には、円の直径方向に対向する部分の円周面に装飾模様２を施すものである。
【００２６】
また、上記の実施の形態では、箸本体１として全体を透明に形成したものを用いたが、箸本体１の長手方向の一部のみを透明に形成したものであってもよい。例えば箸本体１の上部の手で握る部分を透明に形成すると共に箸本体１の先の部分を不透明に形成し、透明に形成した部分に上記のような装飾模様２を設けるようにしてもよい。
【符号の説明】
【００２７】
１  箸本体
２  装飾模様
２ａ  一方の面の装飾模様
２ｂ  他方の面の装飾模様
【図１】
0003179872.tif 000003
【図２】
0003179872.tif 000004
【図３】
0003179872.tif 000005